(57)【要約】【課題】遮熱板の冷却をより効果的に行うことで、平面プレートの使用に際しての、卓上面の過熱をより効果的に阻止すること。【課題の解決手段】外枠の内部に、遮熱板、ヒーター等を内装して本体を構成したホットプレートにおいて、遮熱板とヒーターとの間に第２遮熱板兼反射板を介装して形成された空冷空間に、空気を供給することを特徴とする。前記空冷空間に対する冷却空気供給装置を設ける。空冷空間に供給する冷却用の空気を、ヒーターの非加熱状態においても一定時間継続する［冷却空気供給装置（送風ファン）とコントローラ電源プラグとの間にタイマー機構を介装する］。【選択図】図１
2004159880.tif 000002
【特許請求の範囲】
【請求項１】
外枠の内部に、遮熱板、ヒーター等を内装して本体を構成したホットプレートにおいて、
遮熱板とヒーターとの間に第２遮熱板兼反射板を介装して形成された空冷空間に、空気を供給することを特徴とするホットプレート。
【請求項２】
外枠の内部に、遮熱板、ヒーター等を内装して本体を構成したホットプレートにおいて、
遮熱板とヒーターとの間に第２遮熱板兼反射板を介装して形成された空冷空間に、空気を供給するとともに、空冷空間に供給する冷却用の空気を、ヒーターの非加熱状態においても一定時間継続することを特徴するホットプレート。
【発明の詳細な説明】
【０００１】
【発明の属する技術分野】
本願発明は、各種の焼料理用のホットプレートに関するものである。より詳しくは、ホットプレートを使用して卓上で調理するにあたりホットプレートの底面に対する冷却構造に関するものである。
【０００２】
【従来の技術】
図５に示す、公知のホットプレート（特許文献１）においては、外枠１２の内部に、遮熱板１３、ヒーター１４等を内装して本体１０を構成し、本体の上方に各種の調理板（平面プレート、焼き肉プレート、焼き網等）Ａを選択載置して各種の焼料理を行うものである。
ホットプレートは卓上に載置して各種の焼料理を行うものであることより、ホットプレート底面の過熱による卓上面の温度上昇を阻止する必要がある。図５のホットプレートにおいては、遮熱板１３により卓上面への放熱を阻止すると共に、焼き肉プレートの使用の際にはヒーター１５と遮熱板１３との間に水受け皿を介装し水受け皿に水を満たすことで遮熱板の過熱を阻止している。
【０００３】
【特許文献１】特開平１１−４６９９１号公開特許公報
【０００４】
【発明が解決しようとする課題】
本願発明は、遮熱板の冷却をより効果的に行うことで、平面プレートの使用に際しての、卓上面の過熱をより効果的に阻止することを課題とする。
【０００５】
【課題を解決するための手段】
本願請求項１の発明は、外枠の内部に、遮熱板、ヒーター等を内装して本体を構成したホットプレートにおいて、遮熱板とヒーターとの間に第２遮熱板兼反射板を介装して形成された空冷空間に、空気を供給することを特徴とする。
本願請求項２の発明は、上記の請求項１の発明に加えて、空冷空間に供給する冷却用の空気を、ヒーターの非加熱状態においても一定時間継続することを特徴する。
【０００６】
【発明の実施の形態】
本願請求項１の発明は、ヒーターをのせる第２遮熱板兼反射板を遮熱板の上方に空間を置いて装備することで、第２遮熱板兼反射板と遮熱板との間に空冷空間を形成する。該空冷空間に対する冷却空気供給装置を設ける。枠体をプラスチック製品、遮熱板および第２遮熱板兼反射板を金属板プレス製品、ヒーターをシーズヒーターとする。
本願請求項２の発明は、請求項１の発明に加えて、冷却空気供給装置（送風ファン）とコントローラ電源プラグとの間にタイマー機構を介装する。
【０００７】
【実施例】
以下、図面に示す実施例にもとづいて、本願発明を詳細に説明する。
【０００８】
図１は、本願発明の実施例のホットプレートの本体１を示す展開図であり、プラスチック製品の外枠２の内部に、鉄板、アルミ板の金属板プレス製品の遮熱板３およびシーズヒーターのヒーター５を装備することは、従来のせホットプレート本体と同様であるが、さらに、遮熱板３とヒーター５との間に、第２遮熱板兼反射板４を介装する。
【０００９】
第２遮熱板兼反射板４は、実施例においては、周壁４ａを形成して強度を高めるとともに、水受け皿としての機能を兼備する構造とした。また、外枠２の底面には開口窓６が形成されている。
【００１０】
図４を参照して、第２遮熱板兼反射板４と遮熱板３との間に空冷空間Ｈを形成する。
遮熱板３の周壁３ａにと突起７を形成して、遮熱板３の周壁３ａと第２遮熱板兼反射板４の周壁４ａとの間に僅かの間隙Ｇ１を存在させ、冷却空間Ｈより外枠２の頂面２ａの上方に至る冷却空気Ｋ１の通路を形成する。
遮熱板３の周壁３ａにと突起７を形成して、遮熱板３の周壁３ａと外枠２の底壁２ｂとの間に僅かの間隙Ｇ２を存在させ、冷却空間Ｈより外枠２の底壁２ｂの下方に至る冷却空気Ｋ２の通路を形成する。
遮熱板３の周壁３ａには通孔９を形成して、冷却空間Ｈと間隙Ｇ２とを連通する。
【００１１】
空冷用空気供給手段として、実施例では、送風ファン２１およびモーター２２よりなる冷却空気供給装置２０を、遮熱板３の周壁３ａに隣接して、遮熱板３内に装備する。
遮熱板３の周壁３ａに通孔２６、外枠２の周壁に通孔２５を形成して送風ファン２１へ外気を取入れ可能とする。
送風ファン２１による送風は、冷却空間Ｈ、間隙Ｇ１を経て、冷却空気Ｋ１の流れで、外枠２の頂面２ａの上方より外気へ放出される。また、冷却空間Ｈ、間隙Ｇ２を経て、外枠２の底壁２ｂの下方より外気へ放出される。
【００１２】
タイマー機構２４を付設して、ヒーター５用の電源プラグ２３の電源側にモーター２２を、タイマー機構２４を介して、接続して、ヒーター５の非通電時にも送風続行すべく制御する。なお、タイマー機構２４に代えて蓄電機構を装備して電源プラグ２３にヒーター５と平列接続し、ヒーター５の非通電時には蓄電機構によりモーター２２に一定時間電力を供給することで、送風続行すべく構成してもよいものである。
【００１３】
本願発明のホットプレートによる調理にあたっては、調理板Ａをヒーター５により加熱し、第２遮熱板兼反射板４による遮熱作用で外枠の底面２ｂおよび外枠の底面下方の卓上面の加熱を阻止すると共に、第２遮熱板兼反射板４が反射板としても作用することで、調理板Ａを効果的に加熱して調理板Ａを高温に維持する。
【００１４】
従来のホットプレートによる焼肉料理にあたっては、水受け皿に水を入れて卓上面への加熱、卓上面・床面の温度上昇を押さえる方法が一般的であるが、水受け皿に水を入れると調理物が水蒸気の為、湿気て調理物がおいしくない、反射効率が損なわれて十分に焼けない等の問題があるが、第２遮熱板兼反射板４の反射効果および前述の空冷作用の存在で、水を入れることなく調理できる。なお、油脂分の多い調理物に対しては必要に応じて水を入れることもできるが、殆んどの調理物に対しては、第２遮熱板兼反射板４に水を入れることなく、反射板としの機能を利用して調理板を高温に維持する。
【００１５】
【発明の効果】
本発明は、遮熱板と第２遮熱板兼反射板との間に形成された冷却空間に対して冷却空気を供給するものであるから、ホットプレートを戴置した卓上面の過熱を効果的に阻止することができる。また、一般的な調理に際しては第２遮熱板兼反射板に水を入れないので、第２遮熱板兼反射板は反射板として機能することによる反射効果で調理板が高温に維持されて、調理物が高温でおいしく焼ける効果がある。
本願第２発明においては、ヒーターへの給電“切”においても、冷却空気の供給を継続し、ホットプレートの余熱による卓上面の過熱を防ぐことができる。
【図面の簡単な説明】
【図１】本願発明の実施例を示すホットプレートの分解斜視図
【図２】同じく平面視長手方向の縦断面図
【図３】図２のＳ−Ｓ線による断面図
【図４】図３の部分拡大断面図
【図５】公知のホットプレートを示す図１同様の分解斜視図
１    本体
２    外枠
３    遮熱板
４    第２遮熱板兼反射板
５    ヒーター
２０    冷却空気供給装置
２１    送風ファン
２２    モーター
２４    タイマー機構
Ｈ      空冷空間
Ｇ１    間隙
Ｇ２    間隙
【図１】
2004159880.tif 000003
【図２】
2004159880.tif 000004
【図３】
2004159880.tif 000005
【図４】
2004159880.tif 000006
【図５】
2004159880.tif 000007